(57)【要約】【課題】簡単な動作で確実に封緘でき、封緘状態での耐荷重性に優れ、開封も容易な簡易ロック式包装箱を提供する。【解決手段】側板１及び端板２が周方向に各一対連設され、側板１の上端に外蓋フラップ４が、端板２の上端に内蓋フラップ５がそれぞれ連設された包装箱において、一対の外蓋フラップ４には、先端縁の中間部及び両側部にそれぞれ先端凸部８ａ，８ｂが設けられ、外蓋フラップ４の側端縁に側端凸部９が設けられ、内蓋フラップ５には、両端部が端板２から離れる方向へ曲がった係合切目１０が形成され、その中間部に臨む押圧片１１が端板２から迫り出す方向へ形成されたものとする。外蓋フラップ４の先端縁の中間部及び両側部で先端凸部８ａ，８ｂが互いに重なり合い、外蓋フラップ４の側端凸部９が押圧片１１に抑えられて封緘状態が維持され、押圧片１１を押し下げると開封される。【選択図】図５
0003201982.tif 000002
【実用新案登録請求の範囲】
【請求項１】
側板(1)及び端板(2)が周方向に各一対連設され、側板(1)の上端に外蓋フラップ(4)が、端板(2)の上端に内蓋フラップ(5)がそれぞれ連設された包装箱において、
一対の外蓋フラップ(4)には、先端縁の中間部及び両側部にそれぞれ先端凸部(8a,8b)が設けられ、外蓋フラップ(4)の側端縁に側端凸部(9)が設けられ、内蓋フラップ(5)には、両端部が端板(2)から離れる方向へ曲がった係合切目(10)が形成され、その中間部に臨む押圧片(11)が端板(2)から迫り出す方向へ形成され、
外蓋フラップ(4)の先端縁の中間部及び両側部で先端凸部(8a,8b)が互いに重なり合い、外蓋フラップ(4)の側端凸部(9)が係合切目(10)に係入され、押圧片(11)に抑えられて封緘状態が維持され、
押圧片(11)を押し下げると、側端凸部(9)と押圧片(11)の係合が解除されて開封されることを特徴とする簡易ロック式包装箱。
【考案の詳細な説明】
【技術分野】
【０００１】
この考案は、テープ等の封緘材を用いることなく封緘できる簡易ロック式包装箱に関するものである。
【背景技術】
【０００２】
簡易ロック式包装箱として、下記特許文献１には、図６に示すようなものが記載されている。この包装箱は、側板５１及び端板５２が周方向に各一対連設され、側板５１の上端に外蓋フラップ５３が、端板５２の上端に内蓋フラップ５４がそれぞれ連設された基本構成とされている。
【０００３】
この包装箱の一対の外蓋フラップ５３には、それぞれ先端縁の略半分から互い違いに突出する先端凸部５５が設けられ、外蓋フラップ５３の先端凸部５５が存在する側端には、側端凸部５６が設けられている。内蓋フラップ５４には、端板５２との境界に沿ってスリット状の係合切目５７が設けられ、係合切目５７は、両端部が端板５２から離れる方向へ曲がり、中間部が直線となって端板５２に接近している。
【０００４】
上記簡易ロック式包装箱では、物品を包装する際、内蓋フラップ５４及び外蓋フラップ５３を順次折り重ねて、一対の外蓋フラップ５３の先端凸部５５を互いに噛み合わせ、外蓋フラップ５３の側端凸部５６を内蓋フラップ５４の係合切目５７に係入させる。これにより、テープ等の封緘材を用いることなく、封緘状態を維持することができる。
【先行技術文献】
【特許文献】
【０００５】
【特許文献１】実開昭５８−１１６５１４号公報
【考案の概要】
【考案が解決しようとする課題】
【０００６】
しかしながら、上記のような簡易ロック式包装箱では、封緘を確実なものとするため、側端凸部５６が係合切目５７に深く差し込まれるようにすると、封緘時に外蓋フラップ５３及び内蓋フラップ５４を大きく撓ませる必要があり、封緘作業が困難になる。
【０００７】
また、流通過程において、天面に荷重が作用したとき、外蓋フラップ５３が先端縁の中間部付近で沈み込むことがある。
【０００８】
また、開封に際し、一対の外蓋フラップ５３の先端凸部５５を捲るように引き上げなければならず、開封が難しいという問題がある。
【０００９】
そこで、この考案は、簡単な動作で確実に封緘でき、封緘状態での耐荷重性に優れ、開封も容易な簡易ロック式包装箱を提供することを課題とする。
【課題を解決するための手段】
【００１０】
上記のような課題を解決するため、この考案は、側板及び端板が周方向に各一対連設され、側板の上端に外蓋フラップが、端板の上端に内蓋フラップがそれぞれ連設された包装箱において、一対の外蓋フラップには、先端縁の中間部及び両側部にそれぞれ先端凸部が設けられ、外蓋フラップの側端縁に側端凸部が設けられ、内蓋フラップには、両端部が端板から離れる方向へ曲がった係合切目が形成され、その中間部に臨む押圧片が端板から迫り出す方向へ形成され、外蓋フラップの先端縁の中間部及び両側部で先端凸部が互いに重なり合い、外蓋フラップの側端凸部が係合切目に係入され、押圧片に抑えられて封緘状態が維持され、押圧片を押し下げると、側端凸部と押圧片の係合が解除されて開封されるものとしたのである。
【考案の効果】
【００１１】
この考案に係る簡易ロック式包装箱では、封緘に際し、一対の外蓋フラップの重なり合う側端部を押し下げると、側端凸部が内蓋フラップの押圧片の下方に潜り込むので、外蓋フラップ及び内蓋フラップを大きく撓ませることなく、簡単に封緘することができ、テープ等の封緘材を用いることなく、封緘状態を維持することができる。
【００１２】
また、封緘状態で外蓋フラップの先端縁の中間部及び両側部で先端凸部が互いに重なり合っているので、天面に荷重が作用しても、外蓋フラップが沈み込みにくくなる。
【００１３】
また、開封に際しては、内蓋フラップの押圧片を押し下げるだけで、外蓋フラップの側端凸部と押圧片の係合が解除されるので、容易に開封することができる。
【図面の簡単な説明】
【００１４】
【図１】この考案の実施形態に係る簡易ロック式包装箱のブランクを示す図
【図２】同上の組立後の天面開放状態を示す斜視図
【図３】同上の封緘過程における封緘動作を示す斜視図
【図４】同上の側端凸部と押圧片の係合部を示す拡大断面図
【図５】同上の封緘状態及び開封動作を示す斜視図
【図６】特許文献１に記載の簡易ロック式包装箱の封緘状態を示す斜視図
【考案を実施するための形態】
【００１５】
以下、この考案の実施形態を添付図面に基づいて説明する。
【００１６】
この簡易ロック式包装箱は、図１に示すような段ボール製のブランクから組み立てられる。このブランクでは、長面の側板１及び幅面の端板２が各一対交互に連設され、一方の側板１の外側端に継代片３が連設されている。各一対の側板１及び端板２には、上端に外蓋フラップ４及び内蓋フラップ５がそれぞれ連設され、下端に底フラップ６，７がそれぞれ連設されている。
【００１７】
外蓋フラップ４の端縁は、波状に凸凹を有する形状とされ、一対の外蓋フラップ４の先端縁の中間部及び両側部には、先端凸部８ａ，８ｂがそれぞれ設けられ、両側端縁には、側端凸部９が設けられている。
【００１８】
外蓋フラップ４の先端縁において、先端凸部８ａ，８ｂの間の谷部を基準としたとき、一方の外蓋フラップ４の先端凸部８ａは、他方の外蓋フラップ４の先端凸部８ａよりも突出寸法が若干長く、一方の外蓋フラップ４の先端凸部８ｂは、他方の外蓋フラップ４の先端凸部８ｂよりも突出寸法が若干短くなっている。
【００１９】
一対の内蓋フラップ５には、端板２との境界寄りに、両端部が端板２から離れる方向へ曲がった係合切目１０が形成され、係合切目１０の中間部に臨むように、端縁が弧状となった押圧片１１が端板２から迫り出す方向へ形成されている。
【００２０】
また、一対の内蓋フラップ５には、その両側端縁と係合切目１０の両端との間に、端板２との境界の罫線に平行な谷折線１２が入れられ、谷折線１２は、押罫と切目とが断続するリード罫とされている。さらに、係合切目１０の両端間には、細かい切目が断続する弱化線１３が入れられている。
【００２１】
このようなブランクは、各一対の側板１及び端板２を、対角位置となる境界の罫線に沿って折り重ね、継代片３を反対側の端板２に貼り付け、偏平な折畳状態としておく。
【００２２】
そして、折畳状態から包装箱を組み立てて物品を包装する際には、図２に示すように、各一対の側板１及び端板２が四角筒状をなすように立体化し、底フラップ６，７を噛み合わせて底面を閉止した状態で、天面の開口から物品を箱内に収容する。
【００２３】
次に、図３に示すように、内蓋フラップ５及び外蓋フラップ４を順次折り重ねて、一対の外蓋フラップ４の対向する先端凸部８ａ，８ｂのうち、長い方の内面に短い方の先端を沿わせてスライドさせつつ、先端凸部８ａ，８ｂを互いに噛み合わせる。
【００２４】
この状態で、図３及び図４において矢印で示すように、一対の外蓋フラップ４の重なり合う側端部を押し下げると、外蓋フラップ４が撓みつつ、側端凸部９が内蓋フラップ５の係合切目１０に入り込み、押圧片１１の下方に潜り込む。
【００２５】
このとき、内蓋フラップ５が谷折線１２に沿って屈曲し、弱化線１３に沿って若干撓むので、係合切目１０が大きく開き、側端凸部９が係合切目１０に入りやすくなる。
【００２６】
その後、外蓋フラップ４の押し下げを止めると、図５に示すように、外蓋フラップ４と内蓋フラップ５の撓みが弾性で復元し、外蓋フラップ４の先端縁の中間部及び両側部で先端凸部８ａ，８ｂが互いに重なり合い、一対の外蓋フラップ４の側端凸部９が係合切目１０に係合し、押圧片１１に抑えられて、天面が閉じられた封緘状態となる。
【００２７】
このように、上記簡易ロック式包装箱では、外蓋フラップ４及び内蓋フラップ５を大きく撓ませることなく、外蓋フラップ４の側端凸部９を内蓋フラップ５の係合切目１０に係入させて、簡単に封緘することができ、テープ等の封緘材を用いることなく、封緘状態を維持することができる。
【００２８】
また、この封緘状態では、外蓋フラップ４の先端縁の中間部及び両側部において、先端凸部８ａ，８ｂが互いに重なり合っているので、流通過程において、天面に荷重が作用した場合でも、外蓋フラップ４が沈み込みにくくなり、箱内に収容した農産物等の物品の傷みを防止することができる。
【００２９】
一方、この簡易ロック式包装箱を開封する際には、図５において矢印で示すように、内蓋フラップ５の押圧片１１を押し下げるだけで、押圧片１１が外蓋フラップ４の側端凸部９の下方へ潜り込み、側端凸部９と押圧片１１の係合が解除されるので、容易に開封することができる。
【００３０】
なお、上記実施形態では、一対の外蓋フラップ４のそれぞれの両側端縁に側端凸部９が設けられたものを例示したが、側端凸部９は、一対の外蓋フラップ４のうち、封緘状態で先端凸部８ｂが上方に重なるものにのみ設けるようにしてもよい。
【００３１】
また、内蓋フラップ５に谷折線１２及び弱化線１３を入れたものを例示したが、材料の段ボールが撓みやすいものである場合には、弱化線１３を省略してもよく、或いは、谷折線１２と弱化線１３の双方を省略してもよい。
【００３２】
そのほか、各一対の側板１及び端板２が四角筒状の周壁を構成するものを例示したが、周壁のコーナー部で側板１と端板２の間に面取り部が形成された包装箱においても、同様の簡易ロック構造を適用することができる。
【符号の説明】
【００３３】
１  側板
２  端板
３  継代片
４  外蓋フラップ
５  内蓋フラップ
６，７  底フラップ
８ａ，８ｂ  先端凸部
９  側端凸部
１０  係合切目
１１  押圧片
１２  谷折線
１３  弱化線
【図１】
0003201982.tif 000003
【図２】
0003201982.tif 000004
【図３】
0003201982.tif 000005
【図４】
0003201982.tif 000006
【図５】
0003201982.tif 000007
【図６】
0003201982.tif 000008